(57)【特許請求の範囲】
【請求項１】
複数の始動口と、少なくとも１つの始動口に遊技球が入賞することにより開閉片を開放状態にする変動入賞口と、該変動入賞口に入賞した遊技球を計数する複数のカウンタと、始動口に遊技球が入賞することにより複数のカウンタのうちの１つを決定するカウンタ選択手段とを備え、該変動入賞口に入賞した遊技球の計数値がカウンタ選択手段によって選択されたカウンタに予め設定された許容入賞個数に達するまで前記開閉片を継続的に開放状態にするように構成され、
前記変動入賞口は遊技球の球重量によって傾動するシーソー部材によって開閉片を開放状態に変動させるものであり、複数のカウンタは夫々所定の許容開放部位にストッパが予め形成された歯車からなっており、前記カウンタ選択手段は始動口に入賞した遊技球の球重量によって１つの歯車をシーソー部材に連繋し、該シーソー部材が傾動する度に該歯車が１歯数宛回転して変動入賞口に入賞した遊技球を計数しつつ開閉片を継続的に開放状態にするとともに、所定歯数回転することで前記ストッパが係合してその回転が停止され、かつ該ストッパの係合は始動口に入賞した遊技球の球重量によって解除されるようにしたことを特徴とするパチンコ機の変動入賞装置。
【請求項２】
遊技球が入賞し得る第１始動口および第２始動口と、遊技球が誘導される開閉片が設けられた変動入賞口と、該変動入賞口に入賞した遊技球を計数する第１カウンタおよび第２カウンタとを備え、第１カウンタは第１始動口に遊技球が入賞することにより計数を開始するものであり、第２カウンタは第２始動口に遊技球が入賞することにより計数を開始するものであり、変動入賞口は第１始動口または第２始動口に遊技球が入賞することで開閉片を開放状態にするとともに、該変動入賞口に入賞した遊技球の計数値が第１カウンタまたは第２カウンタに予め設定された許容入賞個数に達するまで該開閉片を継続的に開放状態にするように構成され、
前記変動入賞口は遊技球の球重量によって傾動するシーソー部材によって開閉片を開放状態に変動させるものであり、第１カウンタおよび第２カウンタは夫々所定の許容開放部位にストッパが予め形成された第１歯車および第２歯車からなっており、第１始動口または第２始動口に入賞した遊技球の球重量で第１歯車または第２歯車がシーソー部材に連繋し、該シーソー部材が傾動する度に該第１歯車または第２歯車が１歯数宛回転して変動入賞口に入賞した遊技球を計数しつつ開閉片を継続的に開放状態にするとともに、所定歯数回転することで前記ストッパが係合してその回転が停止され、かつ該ストッパの係合は第１始動口または第２始動口に入賞した遊技球の球重量によって解除されるようにしたことを特徴とするパチンコ機の変動入賞装置。
【請求項３】
遊技球の球重量によって傾動可能なるカウンタ切換部材を設け、第１始動口に入賞した遊技球によって該カウンタ切換部材が傾動することにより第１カウンタをシーソー部材に連繋させ、第２始動口に入賞した遊技球によって該カウンタ切換部材が傾動することにより第２カウンタをシーソー部材に連繋させるようにしたことを特徴とする請求項２に記載のパチンコ機の変動入賞装置。
【発明の詳細な説明】
【０００１】
【発明の属する技術分野】
本発明はパチンコ機の遊技盤に設けられる変動入賞装置に関するものである。
【０００２】
【従来の技術】
開閉片を起立状態または逆八字状の開放状態に変動させるチューリップ型の変動入賞装置は周知のとおりである。
またこの種の変動入賞装置では、遊技球が入賞すると開閉片が１回または２回以上繰り返し開放状態となるように構成されたものもすでに知られている。
【０００３】
【発明が解決しようとする課題】
しかしながら従来の変動入賞装置は、常に決まった回数だけ開閉片が開放状態となるものであったので、面白みのないものであった。
【０００４】
そこで本発明は、変動入賞装置に複数のカウンタが備わっていて、許容入賞個数が変動するようにすることで、面白みのあるパチンコ機を提供できるようにするものである。
【０００５】
【課題を解決するための手段】
そのために本発明に係るパチンコ機の変動入賞装置は、複数の始動口と、少なくとも１つの始動口に遊技球が入賞することにより開閉片を開放状態にする変動入賞口と、該変動入賞口に入賞した遊技球を計数する複数のカウンタと、始動口に遊技球が入賞することにより複数のカウンタのうちの１つを決定するカウンタ選択手段とを備え、該変動入賞口に入賞した遊技球の計数値がカウンタ選択手段によって選択されたカウンタに予め設定された許容入賞個数に達するまで前記開閉片を継続的に開放状態にするように構成され、前記変動入賞口は遊技球の球重量によって傾動するシーソー部材によって開閉片を開放状態に変動させるものであり、複数のカウンタは夫々所定の許容開放部位にストッパが予め形成された歯車からなっており、前記カウンタ選択手段は始動口に入賞した遊技球の球重量によって１つの歯車をシーソー部材に連繋し、該シーソー部材が傾動する度に該歯車が１歯数宛回転して変動入賞口に入賞した遊技球を計数しつつ開閉片を継続的に開放状態にするとともに、所定歯数回転することで前記ストッパが係合してその回転が停止され、かつ該ストッパの係合は始動口に入賞した遊技球の球重量によって解除されるようにしたことを特徴としている。
また本発明の変動入賞装置は、遊技球が入賞し得る第１始動口および第２始動口と、遊技球が誘導される開閉片が設けられた変動入賞口と、該変動入賞口に入賞した遊技球を計数する第１カウンタおよび第２カウンタとを備え、第１カウンタは第１始動口に遊技球が入賞することにより計数を開始するものであり、第２カウンタは第２始動口に遊技球が入賞することにより計数を開始するものであり、変動入賞口は第１始動口または第２始動口に遊技球が入賞することで開閉片を開放状態にするとともに、該変動入賞口に入賞した遊技球の計数値が第１カウンタまたは第２カウンタに予め設定された許容入賞個数に達するまで該開閉片を継続的に開放状態にするように構成され、前記変動入賞口は遊技球の球重量によって傾動するシーソー部材によって開閉片を開放状態に変動させるものであり、第１カウンタおよび第２カウンタは夫々所定の許容開放部位にストッパが予め形成された第１歯車および第２歯車からなっており、第１始動口または第２始動口に入賞した遊技球の球重量で第１歯車または第２歯車がシーソー部材に連繋し、該シーソー部材が傾動する度に該第１歯車または第２歯車が１歯数宛回転して変動入賞口に入賞した遊技球を計数しつつ開閉片を継続的に開放状態にするとともに、所定歯数回転することで前記ストッパが係合してその回転が停止され、かつ該ストッパの係合は第１始動口または第２始動口に入賞した遊技球の球重量によって解除されるようにしたことを特徴としている。
【０００６】
また本発明は上記変動入賞装置において、遊技球の球重量によって傾動可能なるカウンタ切換部材を設け、第１始動口に入賞した遊技球によって該カウンタ切換部材が傾動することにより第１カウンタをシーソー部材に連繋させ、第２始動口に入賞した遊技球によって該カウンタ切換部材が傾動することにより第２カウンタをシーソー部材に連繋させるようにしたことを特徴としている。
【０００７】
【発明の実施の形態】
次に図面に従い本発明の実施の形態を説明する。図１はパチンコ機の遊技盤１の正面図、図２はその裏面図であって、２は該遊技盤面上に設けられた普通入賞口、３は本発明に係る変動入賞装置、４，４はこの変動入賞装置３の第１始動口、５はこの変動入賞装置３の第２始動口、６はこの変動入賞装置３の変動入賞口である。
【０００８】
変動入賞口６はいわゆるチューリップ型のもので、両側に一対の開閉片７，７が支軸８，８により起立閉止状態または逆八字状の開放状態に傾動し得るように支持されたもので、図３〜図７にこれを拡大して示し、図８に分解斜視図を示したように、基板９の裏面に固着した固定枠１０に支点軸１１を横架し、先端部１２が該支軸８，８より下方の開閉片７，７間に介在し得るようにシーソー部材１３を該支点軸１１に傾動自在に支持している。１４は該シーソー部材１３の先端部１２の下方に一体に形成された球受片である。該シーソー部材１３の支点軸１１より後方はへ字状に屈折しその後端に支軸１５を介して球重量感知片１６を枢着している。
【０００９】
なお、１７，１８は該球重量感知片１６の可動角度を制限するためにシーソー部材１３の側壁１９に形成された円弧状長孔と該円弧状長孔中に遊嵌している規制ピンである。また、２０は該球重量感知片１６を起立方向に付勢するため支軸１５の外周に設けられた巻バネである。２１ａ，２１ｂは該球重量感知片１６の両側対称位置に夫々突設された係合ピンである。また、２３は先端部１２が常態で上向きとなるようにシーソー部材１３を付勢している巻バネ、２４は該巻バネを支持するため固定枠１０の側壁外面に突設されたボス、２５は該巻バネの作用端をシーソー部材１３の係合孔２６に係合させるために固定枠１０の側壁に開設された円弧状長孔である。
【００１０】
また、３０は固定枠１０上にて幅方向に移動可能に支持される可動枠で、固定枠１０に前記支点軸１１と平行なるように支軸３１を横架し、該可動枠３０に開設された軸孔３２に該支軸３１を貫挿するとともに該可動枠３０の前縁部に形成された切込孔３３に前記支点軸１１を遊嵌することにより該可動枠３０を幅方向に移動可能に支持している。固定枠１０の両外側に相当する該可動枠３０の両側には夫々歯車収納スペース３４ａ，３４ｂが形成され、前記支点軸１１に回転自在なるように支持した第１カウンタたる第１歯車３５ａが該歯車収納スペース３４ａに収容され、第２カウンタたる第２歯車３５ｂが該歯車収納スペース３４ｂに収容される。
【００１１】
第１歯車３５ａは外周の均等割対称位置４個所にストッパ３６ａ，３６ｂ，３６ｃ，３６ｄが形成され、該各ストッパ間に爪状に一方向に傾斜した爪歯３７，３７…が許容入賞個数に相当する４本宛形成されているとともに、該第１歯車３５ａの一側に同心状に一体形成された円形のカム板３８ａの外周の均等割対称位置４個所に突起３９ａ，３９ｂ，３９ｃ，３９ｄが形成されたものである。また、第２歯車３５ｂは外周の対称位置２個所にストッパ３６ａ，３６ｂが形成され、該各ストッパ間に爪状に一方向に傾斜した爪歯３７，３７…が許容入賞個数に相当する９本宛形成されているとともに、該第２歯車３５ｂの一側に同心状に一体形成された円形のカム板３８ｂの外周の対称位置２個所に突起３９ａ，３９ｂが形成されたものである。
【００１２】
また、４０ａ，４０ｂは前記支軸３１に揺動自在に支持された逆止爪、４１は可動枠３０上に突設されたボス４２に巻回され該各逆止爪を付勢する巻バネで、該逆止爪４０ａの爪先４３ａが前記第１歯車３５ａに係合し、逆止爪４０ｂの爪先４３ｂが前記第２歯車３５ｂに係合することで該各歯車は矢印の方向にのみ回転し得る。
【００１３】
また、４４ａ，４４ｂは前記支軸３１に揺動自在に支持されたカム従動片、４５ａ，４５ｂは該カム従動片を付勢するコイルバネである。カム従動片４４ａには前記カム板３８ａ上に相対する触部４６ａと上方に延びるレバー部４７aが形成され該レバー部４７aの先端に係合爪４８ａが形成されている。また、カム従動片４４ｂには前記カム板３８ｂ上に相対する触部４６ｂと上方に延びるレバー部４７ｂが形成され該レバー部４７ｂの先端に係合爪４８ｂが形成されている。
【００１４】
また、５０は浅箱状で中央に球落下孔４９a，４９ｂが形成されたカウンタ切換部材で、該切換部材５０は基板９の裏面の固定枠１０の上方に突出するように支点軸５１を突設し該支点軸に遊技球の球重量によって傾動可能なるように支持され、該切換部材の後部より垂下状に一体に形成されたレバー片５２の先端に突起５３を形成し、可動枠３０の後壁部中央に切欠形成された切欠孔５４に該突起５３を遊嵌し、該切換部材が左右いずれかに傾動すると該突起５３が揺動しその動きが切欠孔５４を介して可動枠３０に伝達することで、切換部材５０の傾動に従い可動枠３０が左右に移動するよう構成されている。なお、前記係合爪４８ａ，４８ｂは切換部材５０に係合することで該切換部材５０の傾動を制止し得る。
【００１５】
また、５５ａ，５５ｂは切換部材５０の傾動状態を前面から視認し得るようにするため基板９に開設された表示窓、５６ａ，５６ｂは下傾時に該表示窓に合致するべく該切換部材５０の前面に貼付された赤色のシール紙である。また、５７は変動入賞口６の前面に設けられたセグメント表示器である。
【００１６】
また、図２に示したように、５８ａは遊技盤１の背面に設けられた球誘導樋で、前記第１始動口４，４に入賞した遊技球はこれを通って切換部材５０の球落下孔４９a寄りに落下する。また、５８ｂは前記第２始動口５に入賞した遊技球を切換部材５０の球落下孔４９ｂ寄りに落下させる球誘導樋である。なお、５９ａ，５９ｂは夫々球誘導樋５８ａ，５８ｂに設けられた球センサ、６０は開閉片７，７間に入賞した遊技球を計数するために設けられた球センサである。
【００１７】
このように構成された変動入賞装置では、常態では図１〜図７および図９に示したように、球重量感知片１６に突設されている係合ピン２１ａが第１歯車３５ａのストッパ３６ａに係合していることで、シーソー部材１３はその先端部１２が一対の開閉片７，７間に介入し該開閉片７，７が起立閉止状態に保たれる。
【００１８】
そこで、第１始動口４，４に遊技球が入賞すると、該遊技球は球誘導樋５８ａを通って切換部材５０上に落下することから該切換部材５０がその球重量によって傾動し可動枠３０を右方向（裏面から見て）に移動させ、第１歯車３５ａを係合ピン２１ａに係合させるとともに、第２歯車３５ｂを係合ピン２１ｂから離脱させる。（図１〜図７および図９はすでにこの状態になっているところを示した。）そして該遊技球は球落下孔４９aを通って固定枠１０内のシーソー部材１３上に落下し、該シーソー部材１３上を後方に流転し該球重量感知片１６上に乗り該球重量感知片１６を支軸１５を支点とし巻バネ２０の弾性に抗して回転させて固定枠１０外に落下する。このとき該球重量感知片１６がこの遊技球の重力により図９に破断線で示したように支軸１５を支点として下方に回転し係合ピン２１ａを第１歯車３５ａのストッパ３６ａから離脱させることで第１歯車３５ａは回転が許容されるようになるとともに、該シーソー部材１３はこのストッパ３６ａとの係合が外れることで先端部１２が上動し、図１０に示したように開閉片７，７を逆八字状の開放状態にする。
【００１９】
そこで、開放状態となり入賞し易くなった開閉片７，７間に遊技球が入賞すると、該遊技球は図１１に符号ｐにて示したように球受片１４上にその球重量が加えられるることでシーソー部材１３の先端部１２を下動させ後端部を上動させ、係合ピン２１ａを前記ストッパ３６ａの直ぐ下側の爪歯間に介入させ該第１歯車３５ａを１歯数回転させる。そして該遊技球ｐが球受片１４上から落下すると、図１２に示したように該シーソー部材１３は巻バネ２３の弾性により先端部１２を上動した状態に戻り、開閉片７，７を再び逆八字状に開かしめる。またこの回転により前記カム板３８ａの突起３９ａが触部４６ａから離れカム従動片４４ａの係合爪４８ａをコイルバネ４５ａの弾性により切換部材５０に係合させることで該切換部材５０が傾動不可なるようにロックされる。
【００２０】
そこで再び開放状態となった開閉片７，７間に遊技球が入賞すると該遊技球は同様にシーソー部材１３の先端部１２を下動させ後端部を上動させ係合ピン２１ａをさらに下側の爪歯間に介入させ該第１歯車３５ａをさらに１歯数回転させた後に先端部１２が上動した状態に戻す。このため開閉片７，７を再々逆八字状に開かしめる。同様に開放状態となった開閉片７，７間に遊技球が入賞する度に第１歯車３５ａは１歯数宛回転し、開閉片７，７間に５個目の遊技球が入賞すると係合ピン２１ａはストッパ３６ｂに係合し第１歯車３５ａから離間できなくなるので、シーソー部材１３は先端部１２を下動させた状態に保持され開閉片７，７は起立閉止状態となる。これと同時に触部４６ａがカム板３８ａの突起３９ｂに乗り上げることから係合爪４８ａと切換部材５０とのロック状態が解除され、図９にて第１歯車３５ａが矢印の方向に９０度回転した初期状態に戻って停止する。このため第１始動口４に遊技球が１個入賞するだけで、開閉片７，７は５回程開くこととなる。なお、その途中で第１始動口４または第２始動口５に遊技球が入賞しても、切換部材５０はカム従動片４４ａによってロックされ許容入賞個数が確定していることから、途中でその許容入賞個数が変動するようなことはない。このため許容入賞個数が変動することによる無用なトラブルが防止される。
【００２１】
次に、第２始動口５に遊技球が入賞した場合を説明する。第２始動口５に遊技球が入賞すると、該遊技球は球誘導樋５８ｂを通って切換部材５０上に落下することから該切換部材５０がその球重量によって図１３に示したように傾動し可動枠２３を同図に示したように左方向（裏面から見て）に移動させ、第２歯車３５ｂを係合ピン２１ｂに係合させるとともに、第１歯車３５ａを係合ピン２１ａから離脱させる。なお、図１４はこのときの第２歯車３５ｂの初期状態を示す。そして遊技球は球落下孔４９ｂを通って固定枠１０内のシーソー部材１３上に落下し、該シーソー部材１３上を後方に流転し該球重量感知片１６上に乗り該球重量感知片１６を図１４に破断線で示したように支軸１５を支点とし巻バネ２０の弾性に抗して回転させた後に落下する。このため係合ピン２１ｂが第２歯車３５ｂのストッパ３６ａから離脱し第２歯車３５ｂの回転が許容されるようになるとともに、該シーソー部材１３はこのストッパ３６ａとの係合が外れることで先端部１２が上動し開閉片７，７は逆八字状の開放状態にする。
【００２２】
そこで、同様に開閉片７，７間に遊技球が入賞すると、該遊技球は球受片１４上にその球重量を加えてから落下することでシーソー部材１３の先端部１２を下動させ後端部を上動させ係合ピン２１ｂを前記ストッパ３６ａの直ぐ下側の爪歯間に介入させ該第２歯車３５ｂを１歯数回転させた後に該シーソー部材１３は巻バネ２３の弾性により先端部１２を上動した状態に戻され、開閉片７，７を再び逆八字状に開かしめる。またこの第２歯車３５ｂの回転により前記カム板３８ｂの突起３９ａが触部４６ｂから離れカム従動片４４ｂの係合爪４８ｂをコイルバネ４５ｂの弾性により切換部材５０に係合させることで該切換部材５０が傾動不可なるようにロックされる。
【００２３】
そこで再び開放状態となった開閉片７，７間に遊技球が入賞すると該遊技球は同様にシーソー部材１３の先端部１２を下動させ後端部を上動させ係合ピン２１ｂをさらに下側の爪歯間に介入させ該第２歯車３５ｂをさらに１歯数回転させた後に先端部１２を上動した状態に戻す。このため開閉片７，７を再々逆八字状に開かしめる。同様に開放状態となった開閉片７，７間に遊技球が入賞する度に第２歯車３５ｂは１歯数宛回転し、開閉片７，７間に１０個目の遊技球が入賞すると係合ピン２１ｂはストッパ３６ｂに係合し第２歯車３５ｂから離間できなくなるので、シーソー部材１３は先端部１２を下動させた状態に保持され開閉片７，７は起立閉止状態となる。このため第２始動口５に遊技球が入賞すると、開閉片７，７は１０回開くこととなる。また、途中で第１始動口４または第２始動口５に遊技球が入賞しても、切換部材５０はカム従動片４４ｂによってロックされ許容入賞個数が確定していることから、その許容入賞個数が変動するようなことはなく、許容入賞個数が途中変動することによる無用なトラブルが防止される。
【００２４】
なお、遊技者は切換部材５０の傾動状態を表示窓５５ａ，５５ｂによって知ることができる。また、セグメント表示器５７は、球センサ５９ａまたは５９ｂが遊技球を検知したときにその許容入賞個数が数字にて表示され、球センサ６０にて該開閉片７，７間に入賞した遊技球が計数されるとその度にその入賞個数が減数されその表示が更新されるようになっている。このように許容入賞個数を遊技者に報知する手段を設けたことによって、パチンコ遊技を一層興趣あるものにすることができる。
【００２５】
このように、この変動入賞装置では、第１始動口および第２始動口が設けられそのいずれに遊技球が入賞するかによって許容入賞個数が異なるように設定できる。このため、許容入賞個数が一定の従来の変動入賞装置よりも入賞状況が多様化し遊技性が増す。
【００２６】
なお以上の実施形態は、入賞した遊技球の球重量によって開閉片７，７の開閉作動、および、第１歯車３５ａ，第２歯車３５ｂの回転、および、そのストッパとの係合，離脱がなされるように全て機械式に構成したものである。
【００２７】
図１５は参考例として電気式にて構成したこの変動入賞装置をブロック図で示したもので、第１始動口に入賞した遊技球を検知する球センサ５９ａ、および第２始動口に入賞した遊技球を検知する球センサ５９ｂ、および、開閉片７，７間に入賞した遊技球を計数する球センサ６０を夫々コントローラ６１に接続するとともに、コントローラ６１からの指令により開閉片７，７を開閉作動させるソレノイド６２を設け、該コントローラ６１には、球センサ５９ａからの信号によって所定の許容入賞個数が設定される第１カウンタと、球センサ５９ａからの信号によって所定の許容入賞個数が設定される第２カウンタが設けられ、該各カウンタは球センサ６０からの球計数信号によりその計数値を減算し、比較器がその減算後の数値を判別してソレノイド６２に開閉指令を出すように構成されている。
【００２８】
また、図１６は参考例としてこの変動入賞装置の作動をフローチャートにより示したもので、ステップ（イ）にて第１始動口に遊技球が入賞したことが検知されると、ステップ（ロ）にて第１カウンタに許容入賞個数Ｎとして「５」が記憶されステップ（ホ）に移行し、ステップ（ハ）にて第２始動口に遊技球が入賞したことが検知されると、ステップ（ニ）にて第２カウンタに許容入賞個数Ｎとして「１０」が記憶されてステップ（ホ）に移行する。ステップ（ホ）ではソレノイド６２に開指令が出されて開閉片７，７が開放状態となる。そして、ステップ（ヘ）〜ステップ（チ）のループにて、該開閉片７，７間に入賞した遊技球が計数され、許容入賞個数Ｎに記憶されている入賞個数だけ該開閉片７，７を継続的に開放状態にでき、許容入賞個数に達するとステップ（リ）にて開閉片７，７が閉止されるものである。
【００２９】
なお以上の実施形態では、第１始動口と第２始動口との２つの始動口を備えたものについて説明したが、本発明は始動口およびそれに対応するカウンタを３つ以上を備えたものにも適用することができ、これによってより多彩な開放形態が具備されるようになる。
【００３０】
また、図１７のフローチャートに参考例として示したように、ステップａにて始動口スイッチが作動すると、偶然性をもって何らかのランダム数が取得され、ステップｃ，ｅにてその判定がなされ、判定の結果「大当たり」または「小当たり」となり、ステップｄ，ｆにて画像表示装置に夫々該当する画像表示がなされ、ステップｇにて第１カウンタに許容入賞個数Ｎとして「１０」が記憶され、ステップｈにて第２カウンタに許容入賞個数Ｎとして「５」が記憶され、ステップｉに移行し、以下、ステップｊ〜ステップｌのループにて、該開閉片７，７間に入賞した遊技球が計数され、許容入賞個数Ｎに記憶されている入賞個数だけ該開閉片７，７を継続的に開放状態にでき、許容入賞個数に達するとステップｍにて開閉片７，７が閉止されるものである。このように、ランダム数の取得とその判定結果に従い複数のカウンタのうちの１つを決定するカウンタ選択手段とを備え、該変動入賞口に入賞した遊技球の計数値がカウンタ選択手段によって選択されたカウンタに予め設定された許容入賞個数に達するまで前記開閉片を継続的に開放状態にすることにより、１つの変動入賞装置でも多様な開放状態を実現できるようになる。
【００３１】
【発明の効果】
このように本発明に係る変動入賞装置は、始動口に遊技球が入賞することにより開閉片を開放状態にする変動入賞口と、該変動入賞口に入賞した遊技球を計数する複数のカウンタと、始動口に遊技球が入賞することにより複数のカウンタのうちの１つを決定するカウンタ選択手段とを備え、該変動入賞口に入賞した遊技球の計数値がカウンタ選択手段によって選択されたカウンタに予め設定された許容入賞個数に達するまで前記開閉片を継続的に開放状態にするように構成したので、１つの変動入賞装置でも選択されるカウンタに従い多様な開放状態を実現させることができ、パチンコ遊技をより興趣あるものにできる。
【００３２】
また、遊技球が第１始動口と第２始動口のいずれに入賞するかによって開閉片が開放状態となる入賞個数が異なるように設定できるので、より面白みのある変動入賞装置を提供できてパチンコ遊技の興趣を増大させる効果がある。
【図面の簡単な説明】
【図１】  本発明の実施形態を示したパチンコ機の遊技盤の正面図。
【図２】  図１の遊技盤の裏面図。
【図３】  本発明の実施形態を示した変動入賞装置の裏面の斜視図。
【図４】  本発明の実施形態を示した変動入賞装置の右側面図。
【図５】  本発明の実施形態を示した変動入賞装置の裏面図。
【図６】  本発明の実施形態を示した変動入賞装置の縦断面図。
【図７】  本発明の実施形態を示した変動入賞装置の左側面図。
【図８】  本発明の実施形態を示した変動入賞装置の分解斜視図。
【図９】  本発明の実施形態を示した変動入賞装置の要部の右側面図。
【図１０】  図９の作動状態図
【図１１】  図９の作動状態図
【図１２】  図９の作動状態図
【図１３】  図５の作動状態図
【図１４】  本発明の実施形態を示した変動入賞装置の要部の左側面図。
【図１５】  本発明の参考例として示した変動入賞装置のブロック図。
【図１６】  本発明の参考例として示した変動入賞装置のフローチャート。
【図１７】  本発明の参考例として示した変動入賞装置のフローチャート。
【符号の説明】
１              遊技盤
３              変動入賞装置
４，４          第１始動口
５              第２始動口
６              変動入賞口
７，７          開閉片
８              支軸
９              基板
１０            固定枠
１２            先端部
１３            シーソー部材
１６            球重量感知片
２１ａ，２１ｂ  係合ピン
３０            可動枠
３５ａ          第１歯車（第１カウンタ）
３５ｂ          第２歯車（第２カウンタ）
３６ａ〜３６ｄ  ストッパ
３７，３７…    爪歯
３８ａ，３８ｂ  カム板
４４ａ，４４ｂ  カム従動片
５０            カウンタ切換部材
５５ａ，５５ｂ  表示窓
５７            セグメント表示器
５９ａ，５９ｂ  球センサ
６０            球センサ
【図１】
0004568401.tif 000002
【図２】
0004568401.tif 000003
【図３】
0004568401.tif 000004
【図４】
0004568401.tif 000005
【図５】
0004568401.tif 000006
【図６】
0004568401.tif 000007
【図７】
0004568401.tif 000008
【図８】
0004568401.tif 000009
【図９】
0004568401.tif 000010
【図１０】
0004568401.tif 000011
【図１１】
0004568401.tif 000012
【図１２】
0004568401.tif 000013
【図１３】
0004568401.tif 000014
【図１４】
0004568401.tif 000015
【図１５】
0004568401.tif 000016
【図１６】
0004568401.tif 000017
【図１７】
0004568401.tif 000018